(57)【特許請求の範囲】
【請求項１】
光学部品を保持した第１部材と、前記第１部材と移動可能に連結された第２部材と、前記第１部材に対して前記第２部材を所定の第１方向に移動させる移動部材とを備え、
前記移動部材は、前記第１部材と前記第２部材との何れか一方に回動自在に保持された係合部材と、前記何れか他方に取り付けられ前記係合部材の回動に伴い前記係合部材に対して移動可能に前記係合部材に係合された被係合部材とを備え、
前記係合部材は、雄ねじ部と、前記係合部材の外周面から凹まされるように形成された凹部とを備え、
前記凹部は、前記雄ねじ部の一部に形成されており、底面と、前記底面と交差する一対の内側面とを備え、
前記被係合部材は、前記何れか他方に固定的に取り付けられた被係合部材本体と、前記雄ねじに螺合する雌ねじ部を有する筒状の筒体と、前記係合部材の回動に際して前記凹部に出入り可能に形成された入り込み部材とを備え、
前記入り込み部材は、前記凹部に入り込んだ際に前記底面に非接触で、且つ、前記一対の内側面それぞれに当接するように形成されており、
前記筒体は、前記被係合部材本体に回動可能に、且つ、前記筒体の軸方向に移動可能に保持され、前記被係合部材の前記入り込み部材と前記螺合した状態の前記係合部材の前記凹部との互いの位置を調整することを特徴とする光学部品移動機構。
【請求項２】
前記何れか他方に対する前記第１方向における前記被係合部材の位置を調整する被係合部材位置調整部を、更に備えていることを特徴とする請求項１記載の光学部品移動機構。
【請求項３】
前記被係合部材は、固定ボルトを介して前記何れか他方に固定される固定部を備え、
前記固定部は、前記固定ボルトを通すボルト挿通孔を備え、
前記ボルト挿通孔は、前記第１方向に延された長孔形状に形成されており、
前記被係合部材位置調整部は、前記ボルト挿通孔からなることを特徴とする請求項２記載の光学部品移動機構。
【請求項４】
前記被係合部材は、前記係合部材に対して前記光学部品の光軸方向と直交する方向に移動することを特徴とする請求項１〜３の何れか一項に記載の光学部品移動機構。
【請求項５】
前記係合部材は、前記係合部材を手動操作するための手動操作部を備えていることを特徴とする請求項１〜４の何れか一項に記載の光学部品移動機構。
【請求項６】
前記凹部は、前記雄ねじ部の軸方向で隣接する２つのネジ山のうちの一つにのみ形成されていることを特徴とする請求項１〜５の何れか一項に記載の光学部品移動機構。
【請求項７】
前記被係合部材は、前記入り込み部材を付勢する付勢部材を備え、
前記入り込み部材は、前記係合部材に遠ざかる方向及び近づく方向に移動可能に前記被係合部材本体に保持され、
前記付勢部材は、前記入り込み部材を前記近づく方向に付勢するように、前記被係合部材本体に保持されていることを特徴とする請求項１〜６の何れか一項に記載の光学部品移動機構。
【請求項８】
請求項１〜７の何れか一項に記載の光学部品移動機構を備えていることを特徴とするレンズ鏡筒。
【発明の詳細な説明】
【技術分野】
【０００１】
本発明は、光学部品を移動させる光学部品移動機構および光学部品移動機構を備えたレンズ鏡筒に関するものである。
【背景技術】
【０００２】
従来から、光学部品を移動させる光学部品移動機構は、従来から広く知られている。例えば特許文献１に、光学部品のレンズシフト装置が開示されている。この光学部品のレンズシフト装置は、投射レンズを支持するレンズ支持部を、前記投射レンズの光軸方向と直交するシフト方向に移動させる機構部を備える。また、機構部は、雄ねじ部を有する係合部材と、前記雄ねじ部に螺合する雌ねじ部を有する被係合部材とを備えている。また、係合部材は、当該係合部材の軸方向の中央位置に、図２４に示すように雄ねじ部１００のねじ山１０１の一部を断面略円弧形状に切り欠いた凹部１０２を備える。一方、被係合部材は、凹部１０２に入り込み可能な球状の入り込み部材１０３を備えている。そして、係合部材が回動すると、被係合部材が係合部材に対して移動し、これにより、レンズ支持部がシフト方向に移動するようにしている。又、係合部材の回動に際して入り込み部材１０３が凹部１０２に入り込むことで使用者がクリック感を得、これにより、使用者は係合部材の軸方向における被係合部材の位置を知ることができるようにしている。
【先行技術文献】
【特許文献】
【０００３】
【特許文献１】特開２００７−１０８４６０号公報
【発明の概要】
【発明が解決しようとする課題】
【０００４】
しかしながら、特許文献１では、凹部１０２が断面略円弧形状に形成され、かつ凹部１０２と入り込み部材１０３の相対位置を調整する機構を持たないため、凹部１０２を形成する際に入り込み部材１０３の寸法に対して加工誤差を生じると次のような問題が生じる。
【０００５】
例えば図２４に示すように凹部１０２の径が入り込み部材１０３の径よりも大きい場合には、凹部１０２に入り込んだ入り込み部材１０３が凹部１０２の内周面との間に隙間１０４が生じる。その結果、係合部材の回動に際して凹部１０２に入り込んだ入り込み部材１０３が、がたついてしまう。従って、例えば係合部材の軸方向における所定の位置で被係合部材の入り込み部材１０３が入り込むように設計しても、凹部１０２に入り込んだ入り込み部材１０３が係合部材に対する被係合部材の設計位置から位置ずれしてしまう。
【０００６】
その一方、凹部１０２の径が入り込み部材１０３の径に対してあまり小さくなると、入り込み部材１０３が凹部１０２に十分に入り込むことができなくなり、その結果、入り込み部材１０３が凹部１０２に入り込む際のクリック感を使用者が得難くなってしまう。また凹部１０２の加工誤差が生じると入り込み部材１０３が凹部１０２に入り込む位置が設計位置から位置ずれしてしまう。
【０００７】
本発明は、入り込み部材が凹部に入り込む際のクリック感を使用者が確実に得ることができ、しかも、凹部に入り込んだ入り込み部材が係合部材に対する被係合部材の設計位置に位置決めできる光学部品移動機構およびレンズ鏡筒の提供を目的とする。
【課題を解決するための手段】
【０００８】
本発明者は、種々検討した結果、上記目的は、以下の本発明により達成されることを見出した。すなわち、本発明の一態様にかかる光学部品移動機構は、光学部品を保持した第１部材と、前記第１部材と移動可能に連結された第２部材と、前記第１部材に対して前記第２部材を所定の第１方向に移動させる移動部材とを備え、前記移動部材は、前記第１部材と前記第２部材との何れか一方に回動自在に保持された係合部材と、前記何れか他方に取り付けられ前記係合部材の回動に伴い前記係合部材に対して移動可能に前記係合部材に係合された被係合部材とを備え、前記係合部材は、雄ねじ部と、前記係合部材の外周面から凹まされるように形成された凹部とを備え、前記凹部は、前記雄ねじ部の一部に形成されており、底面と、前記底面と交差する一対の内側面とを備え、前記被係合部材は、前記何れか他方に固定的に取り付けられた被係合部材本体と、前記雄ねじに螺合する雌ねじ部を有する筒状の筒体と、前記係合部材の回動に際して前記凹部に出入り可能に形成された入り込み部材とを備え、前記入り込み部材は、前記凹部に入り込んだ際に前記底面に非接触で、且つ、前記一対の内側面それぞれに当接するように形成されており、前記筒体は、前記被係合部材本体に回動可能に、且つ、前記筒体の軸方向に移動可能に保持され、前記被係合部材の前記入り込み部材と前記螺合した状態の前記係合部材の前記凹部との互いの位置を調整することを特徴とする。
【０００９】
これによれば、入り込み部材は、凹部に入り込んだ際に底面に非接触で、且つ、一対の内側面それぞれに当接するように形成されているため、凹部の形成に際して多少の加工誤差が生じても、凹部に入り込んだ際の入り込み部材と凹部の内側面との間に隙間が生じ難く、係合部材の回動に際して凹部に入り込んだ入り込み部材のがたつきを防止できる。これにより、凹部に入り込んだ入り込み部材が係合部材に対する被係合部材の設計位置に位置決めできる。一方、入り込み部材を凹部に十分に入り込ませることができ、入り込み部材が凹部に入り込む際のクリック感を使用者が確実に得ることができる。また、筒体が被係合部材本体に保持される際に、係合部材と螺合した状態で、回動し、或いは筒体の軸方向に移動することで、係合部材の凹部の位置を調整できる。これにより、係合部材の凹部と入り込み部材とを容易に位置合わせできる。
【００１２】
他の一態様では、前記光学部品移動機構において、前記何れか他方に対する前記第１方向における前記被係合部材の位置を調整する被係合部材位置調整部を、更に備えていることを特徴とする。
【００１３】
これによれば、被係合部材位置調整部によって、入り込み部材が凹部に入り込んだ状態で、被係合部材を係合部材に対して所定の位置に配置できる。
【００１４】
他の一態様では、前記光学部品移動機構において、前記被係合部材は、固定ボルトを介して前記何れか他方に固定される固定部を備え、前記固定部は、前記固定ボルトを通すボルト挿通孔を備え、前記ボルト挿通孔は、前記第１方向に延された長孔形状に形成されており、前記被係合部材位置調整部は、前記ボルト挿通孔からなることを特徴とする。
【００１５】
これによれば、被係合部材位置調整部の形成が容易になる。
【００１６】
他の一態様では、前記光学部品移動機構において、前記被係合部材の前記入り込み部材と前記螺合した状態の前記係合部材の前記凹部との互いの位置を調整する凹部位置調整部を、更に備えていることを特徴とする。
【００１７】
これによれば、ボルト挿通孔が長孔形状に形成されているため、ボルト挿通孔に挿通した固定ボルトに対して被係合部材をボルト挿通孔の長手方向に移動できる。これにより、固定ボルトを介して被係合部材を第１部材又は第２部材に取り付ける際に、係合部材に対する被係合部材の位置を調整でき、係合部材の凹部と入り込み部材とを位置合わせできる。
【００２２】
他の一態様では、前記光学部品移動機構において、前記被係合部材は、前記係合部材に対して前記光学部品の光軸方向と直交する方向に移動することを特徴とする。
【００２３】
これによれば、例えば使用者が撮像における焦点のあう範囲を適宜選択して撮影できる。
【００２４】
他の一態様では、前記光学部品移動機構において、前記係合部材は、前記係合部材を手動操作するための手動操作部を備えていることを特徴とする。
【００２５】
これによれば、使用者が確実にクリック感を得ることができ、光学部品移動機構は手動操作に好適なものになる。
【００２６】
他の一態様では、前記光学部品移動機構において、前記凹部は、前記雄ねじ部の軸方向で隣接する２つのネジ山のうちの一つにのみ形成されていることを特徴とする。
【００２７】
これによれば、入り込み部材が入り込む位置を正確にきめることができる。
【００２８】
他の一態様では、前記光学部品移動機構において、前記被係合部材は、前記入り込み部材を付勢する付勢部材を備え、前記入り込み部材は、前記係合部材に遠ざかる方向及び近づく方向に移動可能に前記被係合部材本体に保持され、前記付勢部材は、前記入り込み部材を前記近づく方向に付勢するように、前記被係合部材本体に保持されていることを特徴とする。
【００２９】
これによれば、凹部と入り込み部材とが合致すれば付勢部材の付勢力によって、凹部に入り込み部材を確実に入り込ませ、使用者が確実にクリック感を得ることができる。
【００３０】
本発明のレンズ鏡筒は、上述の何れかの光学部品移動機構を備えていることを特徴とする。
【００３１】
これによれば、凹部の形成に際して多少の加工誤差が生じても、凹部に入り込んだ際の入り込み部材と凹部の内側面との間に隙間が生じ難くでき、係合部材の回動に際して凹部に入り込んだ入り込み部材のがたつきを防止できる。これにより、凹部に入り込んだ入り込み部材が係合部材に対する被係合部材の設計位置に配置される。一方、入り込み部材を凹部に十分に入り込ませることができ、入り込み部材が凹部に入り込む際のクリック感を使用者が確実に得ることができる。また、筒体が被係合部材本体に保持される際に、係合部材と螺合した状態で、回動し、或いは筒体の軸方向に移動することで、係合部材の凹部の位置を調整できる。これにより、係合部材の凹部と入り込み部材とを容易に位置合わせできる。
【発明の効果】
【００３２】
本発明の光学部品移動機構およびレンズ鏡筒は、入り込み部材が凹部に入り込む際のクリック感を使用者が確実に得ることができ、しかも、凹部に入り込んだ入り込み部材が係合部材に対する被係合部材を設計位置に位置決めできる。
【図面の簡単な説明】
【００３３】
【図１】本発明の一実施の形態のレンズ鏡筒の分解斜視図である。
【図２】図１のレンズ鏡筒の正面図である。
【図３】図１のレンズ鏡筒の側面図である。
【図４】図２のＩＶ−ＩＶ線断面図である。
【図５】図１のレンズ鏡筒が有する連結部材、取付部材、取付板、係合部材及び被係合部材の分解斜視図である。
【図６】連結部材と取付部材とを、係合部材及び被係合部材によって連結した状態の正面図である。
【図７】図６のＶＩ−ＶＩ線断面図である。
【図８】図７の状態を斜め上方から見た斜視図である。
【図９】係合部材と被係合部材との分解斜視図である。
【図１０】係合部材の正面図である。
【図１１】（ａ）は、被係合部材の正面図、（ｂ）は、（ａ）の平面図、（ｃ）は、（ａ）の右側面図、（ｄ）は、（ｂ）のＸ−Ｘ線断面図、（ｅ）は、（ｃ）のＸＩ−ＸＩ線断面図である。
【図１２】係合部材と被係合部材とが係合された状態の正面図である。
【図１３】図１２の状態における係合部材及び被係合部材の一部を断面にした正面図である。
【図１４】係合部材が有する凹部に、被係合部材が有する入り込み部材が入り込んだ状態の断面図である。
【図１５】（ａ）は、取付部材の斜視図、（ｂ）は、（ａ）の正面図、（ｃ）は、（ａ）の側面図である。
【図１６】（ａ）は、レンズ鏡筒が有する鏡筒本体を、取付部材に対して第１方向の一方側に移動させた状態の側面図、（ｂ）は、（ａ）の状態の断面図である。
【図１７】図１６（ａ）の状態における係合部材と被係合部材との位置関係を表した正面図、（ｂ）は、（ａ）の斜視図である。
【図１８】（ａ）は、鏡筒本体を取付部材に対して第１方向の他方側に移動させた状態の側面図、（ｂ）は、（ａ）の状態の断面図である。
【図１９】図１８（ａ）の状態における係合部材と被係合部材との位置関係を表した正面図、（ｂ）は、（ａ）の斜視図である。
【図２０】係合部材の凹部と被係合部材の入り込み部材とが位置ずれを起こした状態を説明する正面図である。
【図２１】図２０のＸＸＩ−ＸＸＩ線断面図である。
【図２２】被係合部材が鏡筒本体に対して位置ずれを起こした状態を説明する正面図である。
【図２３】図２２のＸＸＩＩＩ−ＸＸＩＩＩ線断面図である。
【図２４】従来例の要部の断面図である。
【発明を実施するための形態】
【００３４】
以下、本発明を実施するための形態について、図面を参照しながら詳細に説明する。図１は、本発明のレンズ鏡筒の分解斜視図、図２は、図１の正面図、図３は、図１の側面図、図４は、図２のＩＶ−ＩＶ線断面図である。尚、図中のＺ１−Ｚ２が光軸方向を示し、また、Ｚ１側が対物側を示し、Ｚ２側が像側を示すものとする。
【００３５】
本実施形態のレンズ鏡筒１は、鏡筒本体（第１部材）２と、鏡筒本体２に移動可能に連結された取付部材（第２部材）３と、鏡筒本体２に対して取付部材３を光軸方向（Ｚ１−Ｚ２）と直交する第１方向（Ｘ１−Ｘ２方向）に移動させる移動部材５、６とを備えている。
【００３６】
鏡筒本体２は、この実施形態では、レンズ保持部２１と、レンズ保持部２１の像側（Ｚ２側）に配置された連結部材４とを備えている。
【００３７】
レンズ保持部２１は、図４に示すように、内部に、第１レンズ群２２と、第１レンズ群２２の像側に配置された第２レンズ群２３とを備えている。これらの第１レンズ群２２及び第２レンズ群２３は、１又は複数のレンズから構成されている。
【００３８】
連結部材４は、取付部材３を移動可能に連結するためのもので、この実施形態では、図５、図６に示すように、連結部材４は、筒状部４１と、筒状部４１の像側（Ｚ２側）に形成された板状部４２とを備えている。
【００３９】
筒状部４１は、後述する移動部材の係合部材５を保持する係合部材保持部４１１が形成されている。この係合部材保持部４１１は、筒状部４１の壁面を貫通する貫通孔４１２を備えている。
【００４０】
また、筒状部４１は、内部に、後述の移動部材の被係合部材６の第１主被当て止め部６４１ｄと第２主被当て止め部６４１ｅをそれぞれ当て止めする第１主当て止め部４３１と第２主当て止め部４３２と、第１副被当て止め部６２３と第２副被当て止め部６５２ｂとをそれぞれ当て止めする第１副当て止め部４１３と第２副当て止め部 ４１４とを備えている（図６参照）。
【００４１】
第１主当て止め部４３１と第２主当て止め部４３２、および第１副当て止め部４１３と第２副当て止め部４１４とは、それぞれ、図６に示すように筒状部４１の中心Ｏを通り光軸方向及び第１方向（Ｘ１−Ｘ２方向）に直交する第２方向（Ｙ１−Ｙ２方向）に延される第２方向線Ｐ１に対して略同じ距離になる位置に形成されている。
【００４２】
板状部４２の中心部には、図５、図６に示すように光を通す光導通孔４２０が形成されている。又、板状部４２には、後述の移動部材の被係合部材６を第１方向（Ｘ１−Ｘ２方向）に移動可能に受容する略矩形状の被係合部材受容孔４３を備えている。
【００４３】
又、図７、図８に示すように板状部４２には、像側に突出する第１突出片４２１及び第２突出片４２２が形成されている。これらの突出片４２１、４２２は、光導通孔４２０を挟んで、互いに平行に、第１方向に沿って延設されている。
【００４４】
第１突出片４２１の内面（厚さ方向の他方面）は、後述の移動部材の被係合部材６の延在部６４２と対向する延在部対向壁４２１ａをなしている。又、延在部対向壁４２１ａは、互いに直交する２つの直交面から構成されている。
【００４５】
一方、第１突出片４２１の外面（厚さ方向の一方側面）は、取付部材３をガイドする第１ガイド部４２１ｂをなしている。
【００４６】
第２突出片４２２の外面は、第１ガイド部４２１ｂと平行に形成されており、取付部材３をガイドする第２ガイド部４２２ｂをなしている。
【００４７】
以上のように形成された連結部材４は、取付板４０を介してレンズ保持部２１に固定的に取り付けられている。詳しくは、図５に示すように、取付板４０は、中心部に光導通孔４０ａを備えた矩形板状のもので、連結部材４の対物側（Ｚ１側）の端面に、ボルト４０１によって取り付けられている。尚、この実施形態では、光導通孔４０ａを区画形成した内壁面は、凹凸状に形成されている。又、その連結部材４に取り付けられた取付板４０が、図１に示すようにレンズ保持部２１における像側（Ｚ２側）の端面にボルト４０２によって取り付けられている。
【００４８】
次に、取付部材３について説明する。取付部材３は、このレンズ鏡筒１をカメラ本体等の被取付部材２００（図２中に２点鎖線で示す）に取り付けるためのもので、この実施形態では、取付部材３は、板状体から構成されており、中央に光を通す光導通孔３１を備えている。
【００４９】
また、取付部材３は、図８に示すように像側（Ｚ２側）の一方端面における光導通孔３１の外周縁部に、被取付部材に取り外し自在に取り付ける取付部３２を備えている。
【００５０】
また、取付部材３は、図５に示すように、対物側（Ｚ１側）の他方端面に、連結部材４の第１ガイド部４２１ｂと第２ガイド部４２２ｂとのそれぞれにガイドされる第１被ガイド部３２１及び第２被ガイド部３２２と、後述の移動部材の被係合部材を固定するための被係合部材固定部３３とを備えている。
【００５１】
この実施形態では、第１被ガイド部３２１は、取付部材３とは別体からなる細長状の被ガイド片の一部に形成されており、被ガイド片が取付部材３に取り付けられることにより形成されている。
【００５２】
被係合部材固定部３３は、この実施形態では、図５に示すように第１被ガイド部３２１と光導通孔３１との間に、対物側の端面から所定の深さで矩形状に凹設された被係合部材嵌合部３３１と、被係合部材嵌合部３３１に形成された２つの固定ボルト用雌ネジ部３３２とを備えている。
【００５３】
次に、移動部材５、６について説明する。移動部材は、鏡筒本体２に取り付けられた係合部材５と、取付部材３に保持された被係合部材６とを備えている。
【００５４】
係合部材５は、図９、図１０に示すように、ボルト状のものから構成されており、係合部材５の一方端側に形成された雄ねじ部５１と、雄ねじ部５１の一部に形成された凹部５２と、係合部材５の他方端側に形成された手動操作部５３と、雄ねじ部５１と手動操作部５３との間に形成された係合部材被保持部５４とを備えている。
【００５５】
凹部５２は、この実施形態では、雄ねじ部５１の軸方向の略中央部において、雄ねじ部５１の軸方向で隣接する２つのネジ山５１１のうちの一つに形成されている。又、凹部５２は、図１４に示すように底面５２１と、底面５２１の一方端側に形成された第１内側面５２２と、底面５２１の他方端側に第１内側面５２２と一対をなすように形成された第２内側面５２３とを備えている。即ち、凹部５２は、底面５２１と、底面５２１と所定の角度で交差する一対の内側面５２２、５２３とを備えている。
【００５６】
底面５２１は、雄ねじ部５１のネジ山５１１から所定の深さＬ４で、雄ねじ部５１の軸方向と直交する方向に所定の幅Ｌ２で形成されている。
【００５７】
また、第１内側面５２２は、雄ねじ部５１の軸心Ｏ１から底面５２１を２等分するように延ばされた延長線Ｐ２に対して所定の角度θ／２をなす傾斜面に形成されている。
【００５８】
第２内側面５２３は、前記延長線Ｐ２に対して第１内側面５２２と対称になるように形成されている。即ち、第１内側面５２２と第２内側面５２２とは、互いに角度θをなし、第１内側面５２２と第２内側面５２３との互いの距離が底面５２１側で最も小さい最小距離Ｌ２になっており、雄ねじ部５１の径方向外側に行くに従い互いの距離が漸次大きくなってネジ山５１１の頂部で最も大きい最大距離Ｌ３になるように形成されている。
【００５９】
尚、第１内側面５２２と第２内側面５２３とは、傾斜面に形成される形態のものに限らず、例えば凹部５２の内側に膨らむ円弧面でも良く、適宜変更できる。
【００６０】
図９、図１０に戻り、手動操作部５３は、操作者の手で係合部材５が回動操作される部分で、円柱形状に形成されている。
【００６１】
係合部材被保持部５４は、連結部材４の係合部材保持部４１１に固定的に保持される部分で、図６に示すように雄ねじ部５１が係合部材保持部４１１の貫通孔４１１ａに挿通されることで係合部材被保持部５４が係合部材保持部４１１に配置され、この状態で、係合部材被保持部５４が係合部材保持部４１１に固定的に保持されている。係合部材被保持部５４と雄ねじ部５１は回動自在であり、結果、雄ねじ部５１と連結部材４は回動自在となる。又、この状態で、雄ねじ部５１が連結部材４の筒状部４１の内側に配置され、手動操作部５３が筒状部４１の外側に突出している。
【００６２】
次に、被係合部材６について説明する。被係合部材６は、図９に示すように被係合部材本体６１と、被係合部材本体６１に保持された筒体（凹部位置調整部）６２と、係合部材５の凹部５２に出入り自在に入り込む入り込み部材６３とを備えている。
【００６３】
被係合部材本体６１は、図９、図１１に示すように、一方端部に、取付部材３に取り付けられる固定部６４１を備えている。
【００６４】
固定部６４１は、被係合部材固定部３３の被係合部材嵌合部３３１に嵌合される被嵌合部６４１ａと、被嵌合部６４１ａに形成されたボルト挿通孔（被係合部材位置調整部）６４１ｃ（図９に図示）と、ボルト挿通孔６４１ｃに挿通され被係合部材固定部３３の固定ボルト用雌ネジ部３３２に螺合する固定ボルト６４１ｂと連結部材４の第１主当て止め部４３１を当て止めする第１主被当て止め部６４１ｄと連結部材４の第２主当て止め部４３２を当て止めする第２主被当て止め部６４１ｅを備えている。
【００６５】
ボルト挿通孔６４１ｃは、この実施形態では、図９に示すように第１方向（Ｘ１−Ｘ２方向）に長い長孔に形成されている。
【００６６】
また、被係合部材本体６１は、他方端部６５に、筒体６２を保持する筒体保持部６５１と、後述する筒体６２のつば部６２２に対向する筒体対向部６５２ａと、連結部材４の第２副当て止め部４１４に当て止めされる第２副被当て止め部６５２ｂと、入り込み部材６３を保持した入り込み部材保持部６５３とを備えている。
【００６７】
筒体保持部６５１は、筒体６２を受容する筒体受容孔６５１ａと、筒体受容孔６５１ａに受容された筒体６２を固定する筒体固定用ネジ部材６５１ｂとを備えている。
【００６８】
筒体受容孔６５１ａは、第１方向（Ｘ１−Ｘ２方向）に沿って貫通するように断面円形状に形成されている。筒体固定用ネジ部材６５１ｂは、筒体受容孔６５１ａの軸方向の略中央部に、筒体固定用ネジ部材６５１ｂの先端が出没可能に配置されている。
【００６９】
第２副被当て止め部６５２ｂは、連結部材４の第２副当て止め部４１４と対向するように（図６参照）Ｘ２側を向いている。
【００７０】
入り込み部材保持部６５３は、筒体受容孔６５１ａのＸ２側に、筒体受容孔６５１ａの軸方向と直交する方向（Ｙ１−Ｙ２方向）に明けられた断面円形状の孔からなる。
【００７１】
また、被係合部材本体６１は、固定部６４１と筒体保持部６５１との間に、第１方向側（Ｘ１−Ｘ２側）に延在された延在部６４２を備えている。
【００７２】
延在部６４２は、第１方向における固定部６４１の両側に突設されている。又、この実施形態では、延在部６４２は、互いに直交する平面からなる第１延在部６４２ｂと第２延在部６４２ｂとを備えている。
【００７３】
筒体６２は、内周に、係合部材５の雄ねじ部５１に螺合する雌ねじ部（被係合部）６２１を備えている。また、つば部６２２を備え、つば部６２２を構成する面のうち雌ねじ部６２１と反対側に第１副被当て止め部６２３を備えている。
【００７４】
第１副被当て止め部６２３は、連結部材４の第１副当て止め部４１３と対向するように（図６参照）Ｘ１側を向いている。そして、この筒体６２は、被係合部材本体６１の筒体保持部６５１の筒体受容孔６５１ａに、回動自在に、且つ筒体６２の軸方向、すなわち第１方向（Ｘ１−Ｘ２方向）に移動可能に保持され、筒体固定用ネジ部材６５１ｂによって固定状態にされている。この筒体６２が被係合部材本体６１の筒体保持部６５１に保持されることにより、被係合部材６は、一方端部に固定部６４１を備え、他方端部６５に係合部材５と係合される被係合部としての雌ネジ部６２１を備え、固定部６４１と雌ネジ部（被係合部）６２１との間に、第１方向側（Ｘ１−Ｘ２側）に延在された延在部６４２を備えたものとされている。
【００７５】
入り込み部材６３は、この実施形態では、球体からなる。この入り込み部材６３は、図１４に示すように、係合部材５の雄ねじ部５１のねじ山の直径をＤ、一対の内側面５２２、５２３が互いになす角度をθ、一対の内側面５２２、５２３同士の距離が最小となる、底面５２１の長さからなる最小距離Ｌ２、一対の内側面５２２、５２３同士の距離が最大となる最大距離をＬ３、凹部５２の前記所定の深さをＬ４、入り込み部材６３の直径をｄとするとき、以下の式１、又は、式２を満たすように形成されている。式１、又は、式２を満たすように形成されることで、入り込み部材６３が、凹部５２に入り込んだ際に底面５２１に非接触で、且つ、一対の内側面５２２、５２３それぞれに当接するように形成されている。
【００７６】
{（Ｄ／２）２−（Ｌ３／２）２｝＋{（ｄ／２）２−（Ｌ３／２）２｝＞（Ｄ／２）＋（ｄ／２）−Ｌ４・・・（式１）。
【００７７】
（ｄ／２）／ｓｉｎ（θ／２）＞（ｄ／２）＋（Ｌ２／２）／ｔａｎ（θ／２）・・・（式２）。
【００７８】
そして、図１１（ｄ）、図１３に示すように、この入り込み部材６３は、被係合部材本体６１から係合部材５側（Ｙ２側）に突出可能に、入り込み部材保持部６５３に保持されている。又、入り込み部材保持部６５３に保持された入り込み部材６３は、入り込み部材保持部６５３に収納された付勢部材であるコイルバネ６６によって、常時係合部材５側に付勢されている。
【００７９】
以上のように構成された被係合部材６は、図１２、図１３に示すように雌ねじ部６２１が係合部材５の雄ねじ部５１に螺合され、且つ、入り込み部材６３が凹部５２に入り込んだ状態にされ、この状態で、図７に示すように、被係合部材６の固定部６４１が連結部材４の被係合部材受容孔４３に対物側（Ｚ１側）から入れられて、取付部材３の被係合部材固定部３３に固定ボルト６４１ｂで固定される。又、この状態で、図７に示すように被係合部材６の第１延在部６４２ａと第２延在部６４２ｂとが連結部材４の延在部対向壁４２１ａに対向している。
【００８０】
また、図６に示すように、第１主被当て止め部６４１ｄと第２主被当て止め部６４１ｅとの中心線Ｐ３が第２方向線Ｐ１に一致した状態、すなわち、第１主被当て止め部６４１ｄと第２主被当て止め部６４１ｅとの中心線Ｐ３が第１主当て止め部４３１と第２主当て止め部４３２との中心に配位される。従って、この状態では、被係合部材６が雄ねじ部５１に沿って移動するストロークの半分の位置となる。
【００８１】
その際、例えば係合部材５における凹部５２の位置が加工時に設計位置からずれている場合には、図２０、図２１に示すように、第１主被当て止め部６４１ｄと第２主被当て止め部６４１ｅとの中心線Ｐ３が第２方向線Ｐ１に一致した状態で、入り込み部材６３が凹部５２に入り込まない場合が起こり得る。その場合は、筒体固定用ネジ部材６５１ｂを一旦緩めて筒体６２を、被係合部材本体６１の筒体保持部６５１に対して回動可能且つ軸方向移動可能状態にし、その状態から、係合部材５の雄ねじ部５１に螺合した筒体６２を回動する。これにより、入り込み部材６３を凹部５２に入り込ませることができる。
【００８２】
また、例えば被係合部材本体６１のボルト挿通孔６４１ｃが断面円形状のものから構成した場合、ボルト挿通孔６４１ｃの位置、或いは被係合部材固定部３３の固定ボルト用雌ネジ部３３２の位置が加工時の誤差等によって、例えば図２２、図２３に示すように、被係合部材本体６１のボルト挿通孔６４１ｃに挿通した固定ボルト６４１ｂで被係合部材本体６１を被係合部材固定部３３に固定すると、第１主被当て止め部６４１ｄと第２主被当て止め部６４１ｅとの中心線Ｐ３が第２方向線Ｐ１に対して距離Ｌ１０だけ第１方向（Ｘ１―Ｘ２方向）にずれる場合が起こり得る（この図２１では、Ｘ１側にずれている場合を示す）。
【００８３】
しかし、この実施形態では、ボルト挿通孔６４１ｃが第１方向に長い長孔に形成されているため（図９参照）、上記中心線Ｐ３と第２方向線Ｐ１とを位置合わせしてボルト挿通孔６４１ｃに挿通した固定ボルト６４１ｂで固定できる。尚、ボルト挿通孔６４１ｃは、長孔に形成される形態のものに限らず、例えば断面円形状に形成されてもよく、適宜変更し得る。
【００８４】
次に、本発明のレンズ鏡筒１の動作について説明する。
【００８５】
図６に示す状態から、係合部材５の手動操作部５３を手で、１方向に回動させる。これにより、係合部材５と螺合した被係合部材６が、係合部材５の雄ねじ部５１に沿って第１方向のＸ１側に相対移動する。これに伴い、被係合部材６を保持した取付部材３が被係合部材６が共に移動する（図１８参照）。
【００８６】
そして、図１９に示すように、被係合部材６の第１主被当て止め部６４１ｄが第１主当て止め部４３１に当接すると、被係合部材６の相対移動が止められる。
【００８７】
このとき、第１副被当て止め部６２３と第１副当て止め部４１３は微小なすき間をもって対向しており、被係合部材６にＸ１の方向に力が加わった場合には両者が当接するようになっている。本発明のような第１副被当て止め部６２３と第１副当て止め部４１３が設けられていない場合には、雄ねじ部５１からの推進力によって被係合部材６の被係合部６５にモーメントがかかり、被係合部材６等が破損する要因になる。しかし、この実施形態では、第１副被当て止め部６２３と第１副当て止め部４１３が設けられているため、雄ねじ部５１からの推進力によって被係合部材６にモーメントがかかり難くでき、被係合部材６等が破損するおそれの少ないものにできる。さらに第１副被当て止め部６２３が筒体６２に設けられているため、係合部材５からＸ１方向に力が加わった場合でも第１副被当て止め部６２３と第１副当て止め部４１３が当接することで筒体６２が被係合部材本体６１から抜けることはなく、被係合部材６が破損するおそれの少ないものにできる。
【００８８】
一方、図１８、図１９に示す状態から、係合部材５の手動操作部５３を手で、上記とは反対に他方向側に回動させる。これにより、係合部材５と螺合した被係合部材６が、係合部材５の雄ねじ部５１に沿って第１方向のＸ２側に相対移動し、これに伴い、被係合部材６を保持した取付部材３が被係合部材６が共にＸ２側に移動する。
【００８９】
そして、図６に示すように、第１主被当て止め部４３１と第２主被当て止め部４３２との中心線Ｐ３が第２方向線Ｐ１に一致した位置で、入り込み部材６３と凹部５２とが合致し、入り込み部材６３がコイルバネ６６の付勢力によって凹部５２に入り込む。これにより、使用者は、クリック感を得、取付部材３が鏡筒本体２に対してストロークの半分（ストロークの真ん中）だけ移動したことを知ることができる。
【００９０】
また、入り込み部材６３が凹部５２に入り込んだ状態では、図１４に示すように、入り込み部材６３が凹部５２の底面５２１に非接触で、且つ、第１内側面５２２と第２内側面５２３とに当接するため、凹部５２に入り込んだ入り込み部材６３のがたつきを防止できる。これにより、入り込み部材６３が凹部５２に入り込んだ状態で、係合部材５に対する被係合部材６の設計位置（この実施形態では、ストロークの真ん中）に確実に位置決めできる。一方、入り込み部材６３を凹部５２に十分に入り込ませることができ、入り込み部材６３が凹部５２に入り込む際のクリック感を使用者が確実に得ることができる。
【００９１】
この状態から、更に係合部材５を他方向側に回動させると、コイルバネ６６の付勢力に抗して入り込み部材６３が凹部５２から抜け出す。その際、凹部５２の第２内側面５２３が傾斜面に形成されているため、入り込み部材６３が凹部５２から容易に抜け出すことができる。
【００９２】
そして、図１６、図１７に示すように、被係合部材６の第２主被当て止め部６４１ｅが第２主当て止め部４３２に当接すると、被係合部材６のＸ２側への相対移動が止まる。
【００９３】
この場合も、第２副被当て止め部６５２ｂが筒体６２を保持した被係合部６５に形成されているため、雄ねじ部５１からの推進力によって被係合部材６にモーメントがかかり難くでき、被係合部材６等が破損するおそれの少ないものにできる。さらに筒体６２につば部６２２が設けられているため、係合部材５からＸ２方向に力が加わった場合でもつば部６２２と被係合部材本体６１が当接することにより、筒体６２が被係合部材本体６１から抜けることはなく、被係合部材６が破損するおそれの少ないものにできる。
【００９４】
以上のように構成されたレンズ鏡筒１によれば、被係合部材６が第１方向に延在された延在部６４２を備え、鏡筒本体２が延在部６４２を受け得るように、延在部６４２と対向配置された延在部対向壁４２１ａを備えているため、例えば鏡筒本体２にかかった外力が係合部材５から被係合部材６にかかり、被係合部材６が変形しようとすると、延在部６４２が延在部対向壁４２１ａに受けられる。これにより、被係合部材６の被係合部６５および固定部６４１にかかる力を軽減でき、被係合部材６の被係合部６５および固定部６４１が破損するおそれを少なくできる。従って、例えば固定部６４１の第１方向の長さを短くでき、固定部６４１を受容した連結部材４の被係合部材受容孔４３の第１方向の長さを短くすることも可能になり、連結部材４の強度を向上させ、かつ連結部材４の第１方向の大きさを小さくできる。
【００９５】
また、延在部６４２と延在部対向壁４２１ａとは、固定部６４１から第１方向における一方向側と他方向側との両側に突設されているため、例えば外力が係合部材５から被係合部材６の被係合部６５に第１方向の一方向及び他方向にかかった場合でも、延在部６４２が延在部対向壁４２１ａに受けられ、被係合部材６の被係合部６５および固定部６４１にかかる力を確実に軽減でき、被係合部材６の被係合部６５および固定部６４１が破損するおそれを、より少なくできる。
【００９６】
また、延在部６４２は、互いに略直交する平面状の第１延在部６４２ａと第２延在部６４２ｂとからなるため、第１延在部６４２ａと第２延在部６４２ｂとによって、例えば係合部材５から被係合部材６の被係合部６５にかかる外力を第１方向に直交する２方向から受けることができ、被係合部材６の被係合部６５および固定部６４１にかかる力をより一層、軽減でき、被係合部材６の被係合部６５および固定部６４１が破損するおそれを、より一層、少なくできる。
【００９７】
また、鏡筒本体２は、取付部材３側に突設された板状の突出片４２１の厚さ方向の一方面に、取付部材３を第１方向にガイドするガイド部３２１が形成され、延在部対向壁４２１ａは、突出片４２１の厚さ方向の他方面に形成されているため、構成が簡素化され、しかも、光学部品移動機構のコンパクト化が図られる。
【００９８】
また、鏡筒本体２は、被係合部材６を主当て止め部４３１、４３２を備え、被係合部材６の一方端部に、主当て止め部４３１、４３２に当て止めされる主被当て止め部６４１ｄ、６４１ｅが形成されているため、係合部材５に対する被係合部材６の移動に際して主当て止め部４３１、４３２に主被当て止め部６４１ｄ、６４１ｅを当て止めすることで、被係合部材６が鏡筒本体２に対して設定位置で被係合部材６を保持した取付部材３の移動を止めて設定位置に配置できる。さらに被係合部材６の他方端部に副当て止め部４１３、４１４に微小なすき間を持って対抗する副被当て止め部６２３、６５２ｂが形成されており、被係合部材６にＸ１方向またはＸ２方向の力が加わった場合に副当て止め部４１３、４１４に当接する。その際、被副当て止め部６２３、６５２ｂが被係合部６５に形成されているため、移動に際して係合部材５から被係合部材６に力が伝達される被係合部６５の近傍に、被副当て止め部６２３、６５２ｂを配置でき、被係合部６５から被副当て止め部６２３、６５２ｂまでの距離を短くできる。これにより、被係合部材６が係合部材５から受けるモーメントを小さくできる。
【００９９】
また、係合部材５は、外周に雄ねじ部５１を備え、被係合部６５は、雄ねじ部５１に螺合する雌ネジ部６２１を備えているため、光学部品移動機構が容易に低コストで製作可能になる。
【０１００】
また、鏡筒本体２は、光学部品を保持し、鏡筒本体２は、取付部材３に対して光学部品の光軸方向に直交する第１方向に移動可能とされているため、例えばイメージセンサの光軸との直交位置をシフトして撮影できる。
【０１０１】
尚、上記実施形態では、係合部材（入力部材）に雄ねじ部を形成し、被係合部材に、雌ねじ部を形成し、雄ねじ部に雌ねじ部が螺合することで係合部材と被係合部材とが係合したが、この形態のものに限らず、適宜変更できる。例えば係合部材と被係合部材との何れか一方にラックを備え、何れか他方にピニオンを備え、ラックにピニオンが噛合することで係合部材と被係合部材とが係合するものでもよい。
【符号の説明】
【０１０２】
１    レンズ鏡筒
２    鏡筒本体（第１部材）
３    取付部材（第２部材）
５    係合部材（入力部材）
６    被係合部材
５１    雄ねじ部
５２    凹部
５３    手動操作部
６３    入り込み部材
４２１ａ    延在部対向壁
４２１    突出片
６４２    延在部
６２１    雌ネジ部
【図１】
0006658280.tif 000002
【図２】
0006658280.tif 000003
【図３】
0006658280.tif 000004
【図４】
0006658280.tif 000005
【図５】
0006658280.tif 000006
【図６】
0006658280.tif 000007
【図７】
0006658280.tif 000008
【図８】
0006658280.tif 000009
【図９】
0006658280.tif 000010
【図１０】
0006658280.tif 000011
【図１１】
0006658280.tif 000012
【図１２】
0006658280.tif 000013
【図１３】
0006658280.tif 000014
【図１４】
0006658280.tif 000015
【図１５】
0006658280.tif 000016
【図１６】
0006658280.tif 000017
【図１７】
0006658280.tif 000018
【図１８】
0006658280.tif 000019
【図１９】
0006658280.tif 000020
【図２０】
0006658280.tif 000021
【図２１】
0006658280.tif 000022
【図２２】
0006658280.tif 000023
【図２３】
0006658280.tif 000024
【図２４】
0006658280.tif 000025